(57)【要約】【課題】  特に複雑な構造を採ることなく、吊手棒受けの車体に対する固定部分を覆い隠し、意匠性を向上させることのできる鉄道車両における吊手棒受けの取り付け構造を提供する。【解決手段】  一端部に構体（屋根構９ないしは内骨１０）に対して取り付けるための第１のフランジ部７１を、他端に吊手棒８を支持するための支持部７２が形成された吊手棒受け７の中間部分に第２のフランジ部７３を形成し、この第２のフランジ部７３の下面側に、第１のフランジ部７１の構体に対する固定部分を覆い隠すための遮蔽部材（例えば冷風グリル）１２を、隣接する吊手棒受け７間に差し渡すように装着することにより、第１のフランジ部７１の構体に対する固定部分が車室内に露出しないようにし、意匠性の向上を達成する。【選択図】  図２
2005350033.tif 000002
【特許請求の範囲】
【請求項１】
鉄道車両における吊手棒を支持する吊手棒受けの取り付け構造であって、
一端部に構体に取り付けるための第１のフランジ部が形成され、かつ、他端部に吊手棒を支持するための支持部が形成されてなる吊手棒受けの中間部に第２のフランジ部が形成されているとともに、上記第１のフランジ部が屋根構に取り付けられた状態で、上記第２のフランジ部の下面に、上記第１のフランジ部の屋根構に対する取り付け部分を覆い隠す遮蔽部材が、隣接する吊手棒受け間に差し渡すように装着されていることを特徴とする鉄道車両における吊手棒受けの取り付け構造。
【請求項２】
上記遮蔽部材が、空調ダクトに連通して冷気を吹き出すための冷風グリルであることを特徴とする請求項１に記載の鉄道車両における吊り手棒受けの取り付け構造。
【発明の詳細な説明】
【技術分野】
【０００１】
本発明は、鉄道車両に設けられて複数の吊手を懸吊するための吊手棒を支持する吊手棒受けの取り付け構造に関する。
【背景技術】
【０００２】
鉄道車両における吊手を懸吊するための吊手棒は、一般に、その長手方向複数箇所において吊手棒受けによって支持される。吊手棒受けは、従来、一端側にフランジ部（取り付け座部）が形成され、他端側には吊手棒を支持するための支持部が形成されたものが一般的であり、そのフランジ部が天井板の下面に固定される構造が多用されている（例えば特許文献１参照）。
【０００３】
従来の鉄道車両における吊手棒受けの取り付け構造の例を図５に示す。吊手棒受け５１は、一端部にフランジ部５１ａが形成されているとともに、他端部には吊手棒５２を支持するための支持部５１ｂが形成されており、この例における支持部５１ｂは吊手棒５２を貫通させる孔によって構成されている。この吊手棒受け５１は、フランジ部５１ａを天井板５３の下面に密着させ、その天井板５３を介在させた状態で屋根構の内骨５４にボルト５５によって固定されている。
【０００４】
また、空調機に連通する空調ダクト内を流れる冷気を車室内に吹き出す冷風グリルは、空調ダクトに冷風グリル受けをリベット等によって固定し、その下に冷風グリルを固定する構造を採る場合が多い。
【特許文献１】特開平９−８６４０７号公報
【発明の開示】
【発明が解決しようとする課題】
【０００５】
ところで、以上のような従来の吊手棒受けの取り付け構造においては、天井面に対する吊手棒受けのフランジ部の取り付け部分が車室内に露出し、意匠性が良好でないという問題があった。
【０００６】
また、冷風グリルの取り付けに際しては、専用の冷風グリル受けを空調ダクトに固定したうえで固定する必要があり、手間がかかるという問題もあった。
【０００７】
本発明の主たる課題は、特に複雑な構造を採ることなく、吊手棒受けの車体に対する固定部分を覆い隠し、意匠性を向上させることのできる鉄道車両における吊手棒受けの取り付け構造を提供することにある。
【０００８】
また、本発明の他の課題は、冷風グリルの取付作業をより簡素化してコストを低減することにある。
【課題を解決するための手段】
【０００９】
上記の主たる課題を解決するため、本発明の鉄道車両における吊手棒受けの取り付け構造は、鉄道車両における吊手棒を支持する吊手棒受けの取り付け構造であって、一端部に構体に取り付けるための第１のフランジ部が形成され、かつ、他端部に吊手棒を支持するための支持部が形成されてなる吊手棒受けの中間部に第２のフランジ部が形成されているとともに、上記第１のフランジ部が屋根構に取り付けられた状態で、上記第２のフランジ部の下面に、上記第１のフランジ部の屋根構に対する取り付け部分を覆い隠す遮蔽部材が、隣接する吊手棒受け間に差し渡すように装着されていることによって特徴づけられる（請求項１）。
【００１０】
また、上記した他の課題を解決するため、請求項２に係る発明においては、上記した遮蔽部材を、空調ダクトに連通して冷気を吹き出すための冷風グリルとする構成を採用している。
【００１１】
本発明は、吊手棒受けの基端のフランジ部（第１のフランジ部）と先端の吊手棒の支持部の間に第２のフランジ部を一体に形成し、この第２のフランジ部に遮蔽部材を取り付けて第１のフランジ部の構体への取り付け部分を覆い隠すことによって課題を解決しようとするものである。
【００１２】
すなわち、本発明においては、吊手棒受けの基端部（第１のフランジ部）を屋根構（屋根構に固着されている内骨をも含む）に固定するとともに、この吊手棒受けの長手方向中間部分に設けた第２のフランジに、隣接する吊手棒受け間に差し渡すように遮蔽部材を取り付ける。これにより、吊手棒受けの基端部の屋根構への取り付け部分を覆い隠し、意匠性を向上させることができる。
【００１３】
また、以上のような遮蔽部材としては、特に限定されるものではないが、請求項２に係る発明のように、空調ダクトに連通して冷気を吹き出すための冷風グリルとすることが、吊手棒受けの車両内での配設位置上の特性や、冷風グリルの幅寸法上の特性、つまり吊手受け棒の基端の取り付け部分を覆い隠すのに適した幅寸法を有している点を活かすことができて好適であり、加えて、従来の冷風グリル受けを不要とし、その取り付け作業を簡素化してコスト低減を図ることができる。
【発明の効果】
【００１４】
本発明によれば、吊手棒受けの基端の取り付け部分が遮蔽部材により覆い隠されるので、その取り付け部分が天井面に露出する従来の取り付け構造に比して、その意匠性を向上させることができる。
【００１５】
また、請求項２に係る発明のように、遮蔽部材を冷風グリルとすることにより、特に専用の遮蔽部材を作ることなく、しかも、従来の冷風グリル受けを不要として、その空調ダクトへの取付作業をなくすることができる結果、コスト低減にも寄与することができる。
【発明を実施するための最良の形態】
【００１６】
以下、図面を参照しつつ本発明の実施の形態について説明する。
図１は本発明に係る吊手棒受けの取り付け構造を適用した鉄道車両の天井構造の構成例を示す図であり、車幅方向に沿った断面図である。また、図２はその吊手棒受け７の近傍の拡大図であり、図３および図４はそれぞれ図２におけるＡ−ＡおよびＢ−Ｂ断面図である。
【００１７】
車幅方向中央部に横流ファン１およびロールフィルタ２が車両の長手方向適宜箇所に配置されている。その横流ファン１およびロールフィルタ２の両側に空調ダクト３ａおよび３ｂが配置されている。これらの空調ダクト３ａ，３ｂは、それぞれ屋根上等に設けられている空調機（図示略）に連通し、その内部を冷気が流れる。
【００１８】
空調ダクト３ａ，３ｂの車幅方向外側には、それぞれ、各空調ダクト３ａ，３ｂの側壁部分と、これらの空調ダクト３ａ，３ｂの外側に設けられた形材４ａ，４ｂで形成される下向きに開口した溝状の凹所５ａ，５ｂが形成されている。これらの凹所５ａ，５ｂと空調ダクト３ａ，３ｂとを仕切る側壁部分には、車両の長手方向複数箇所において切欠き部が形成されており、この切欠き部により凹所５ａ，５ｂは空調ダクト３ａ，３ｂと連通し、空調ダクト３ａ，３ｂ内を流れる冷気は凹所５ａ，５ｂに流れ込む。なお、図においてＩＭは断熱材である。また、各凹所５ａ，５ｂの車幅方向外側は、形材４ａまたは４ｂに一端が固着された天井板６ａ，６ｂで覆われている。
【００１９】
さて、各凹所５ａ，５ｂの内部には、長手方向に所定の間隔を開けて吊手棒受け７が配置されている。これらの各吊手棒受け７は、その基端部に第１のフランジ部７１が形成されているとともに、先端部には吊手棒８を支持するためのフック状の支持部７２が形成され、これらの中間部には第２のフランジ部７３が形成されている。これらの各吊手棒受け７は、基端部の第１のフランジ部７１が形材４ａ，４ｂとともに、屋根構９の下側に突出するように一体に設けられている内骨１０に対してボルト１１によって締結固定されている。
【００２０】
そして、各吊手棒受け７の第２のフランジ部７３の下面側には、隣接する吊手棒受け７どうしに差し渡されるように、冷風グリル１２の両端部がボルト１３によって固定されており、この冷風グリル１２によって凹所５ａ，５ｂの下端開口部分が覆われている。冷風グリル１２は、長尺の３本の押出成形材１２１，１２２，１２３を互いに平行に、かつ、隙間を開けた状態で、長手方向に所定の間隔Ｇを開けて配置された連結部材１２４によって一体化された構造を有し、空調ダクト３ａ，３ｂおよび凹所５ａ，５ｂを流れてきた冷気が各押出成形材１２１，１２２，１２３の間の隙間Ｇから吹き出される。なお、図においてＥは弾性部材である。
【００２１】
以上の本発明の実施の形態によると、吊手棒受け７の基端部の第１のフランジ部７１が、中間部に設けられている第２のフランジ部７３に装着された冷風グリル１２によって覆い隠されるため、吊手棒受け７の内骨１０に対する固定部分が車室内に露出することがなく、良好な意匠性が得られる。
【００２２】
しかも、吊手棒受け７の内骨１０に対する固定部分を覆い隠すための部材を、空調機からの冷風を吹き出すための冷風グリル１２としているため、特に遮蔽のための専用の部材を用意する必要がなく、また、従来の冷風グリル受けを不要としてその取り付け作業をなくすることができるる分、合理的でコストの低減をも達成することができる。
【００２３】
ただし、本発明においては、吊手棒受け７の車体に対する固定部分を覆い隠すための部材としては、以上のような冷風グリルに限られることなく、専用の天井板を用いてもよいことは勿論である。
【図面の簡単な説明】
【００２４】
【図１】本発明に係る吊手棒受けの取り付け構造を適用した鉄道車両の天井構造の構成例を示す図であり、車幅方向に沿った断面図である。
【図２】図１における吊手棒受け７の近傍の拡大図である。
【図３】図２におけるＡ−Ａ断面図である。
【図４】図２におけるＢ−Ｂ断面図である。
【図５】従来の鉄道車両における吊手棒受けの取り付け構造の例の説明図である。
【符号の説明】
【００２５】
１  横流ファン
２  ロールフィルタ
３ａ，３ｂ  空調ダクト
４ａ，４ｂ  形材
５ａ，５ｂ  凹所
６ａ，６ｂ  天井板
７  吊手棒受け
７１  第１のフランジ部
７２  支持部
７３  第２のフランジ部
８  吊手棒
９  屋根構
１０  内骨
１１  ボルト
１２  冷風グリル
【図１】
2005350033.tif 000003
【図２】
2005350033.tif 000004
【図３】
2005350033.tif 000005
【図４】
2005350033.tif 000006
【図５】
2005350033.tif 000007